(57)【要約】      （修正有）【課題】外々四つ折りされる袋綴じを簡易に作製することができる袋綴じ構造を提供する。【解決手段】袋綴じ構造は、同一方向に連接された第１用紙片１〜第４用紙片４を各用紙片の境界で外々四つ折りされて作製される。連接方向における第１用紙片１の長さａ及び第４用紙片４の長さｄは、同方向における第２用紙片２の長さｂ及び第３用紙片３の長さｃよりも長く、第１用紙片１の端部１１と第４用紙片４の端部１２は、直接接着される。さらに第２用紙片２は、第１用紙片１に対して仮接着される。また、第１用紙片１と第４用紙片４には、それぞれミシン目１６，１７が形成されている。【選択図】図１
0003131810.tif 000002
【実用新案登録請求の範囲】
【請求項１】
同一方向に連接された第１用紙片〜第４用紙片が、各用紙片の境界で外々四つ折りされた袋綴じ構造であって、
連接方向における第１用紙片の長さ及び第４用紙片の長さは、同方向における第２用紙片の長さ及び第３用紙片の長さよりも長く、
第１用紙片の端部と第４用紙片の端部は、直接接着されて綴じられていることを特徴とする袋綴じ構造。
【請求項２】
第３用紙片に隣接する側の第２用紙片の端部は、第１用紙片に仮接着されていることを特徴とする請求項１に記載の袋綴じ構造。
【請求項３】
第４用紙片において、接着領域より第３用紙片側に、第４用紙片を分断するための第１のミシン目が形成されていることを特徴とする請求項１又は２に記載の袋綴じ構造。
【請求項４】
第１用紙片において、接着領域より第２用紙片側に、第１用紙片を分断するための第２のミシン目が形成されていることを特徴とする請求項１〜３のいずれか一項に記載の袋綴じ構造。
【請求項５】
第１用紙片と第４用紙片とが接着されている端部で、雑誌類に貼付され、又は綴じ込まれていることを特徴とする請求項１〜４のいずれか一項に記載の袋綴じ構造。
【考案の詳細な説明】
【技術分野】
【０００１】
本考案は、雑誌や書籍等に別刷りの折丁を綴じ込むための袋綴じ構造に関する。
【背景技術】
【０００２】
従来より、雑誌や書籍等にあっては、別刷りの折丁（複数の用紙片を折り畳んだ印刷物）を綴じ込むことがあり、この場合、綴じ込んだ折丁に対する店頭での立ち読みを防止するため、袋綴じが利用される。本出願人は、種々の袋綴じ構造を提案している。例えば、下記特許文献１においては、外々四つ折りタイプのものや巻折りタイプのもの等を提案している。
【０００３】
【特許文献１】実用新案登録第２５３８３５５号公報
【考案の開示】
【考案が解決しようとする課題】
【０００４】
ところが、特許文献１に示した外々四つ折りタイプの袋綴じ構造であると、用紙片の一枚のみを雑誌類に貼付するものであるため、袋綴じ構造をなすためには、仮接着しなければならない箇所が多く、作製工数が過剰となり、又、袋綴じ構造を展開すると仮接着領域として残る箇所も多くならざるを得なかった。
【０００５】
そこで、本考案は、外々四つ折りされる袋綴じを簡易に作製することができる袋綴じ構造を提供することを目的とする。
【０００６】
本考案における袋綴じ構造は、同一方向に連接された第１用紙片〜第４用紙片が、各用紙片の境界で外々四つ折りされた袋綴じ構造であって、連接方向における第１用紙片の長さ及び第４用紙片の長さは、同方向における第２用紙片の長さ及び第３用紙片の長さよりも長く、第１用紙片の端部と第４用紙片の端部は、直接接着されて綴じられていることを特徴とする。
【０００７】
この構造によれば、外々四つ折りされた状態で、第１用紙片は、第２用紙片よりも連接方向に対して長く延在し、第４用紙片も、第３用紙片よりも連接方向に対して長く延在しており、第１用紙片の端部と第４用紙片の端部とが、直接接着されて綴じられている。このように、第１用紙片の端部と第４用紙片の端部との接着によって、外々四つ折りされる袋綴じを簡易に作製することができる。
【０００８】
また、このような袋綴じ構造において、第３用紙片に隣接する側の第２用紙片の端部は、第１用紙片に仮接着されているとよい。この構造により、第２用紙片及び第３用紙片のそれぞれの紙面を、第１用紙片や第４用紙片の紙面から離れることを防止して、密着させた状態を維持させ、容易に、袋綴じされた内側の紙面を覗き込まれないようにすることができる。
【０００９】
また、このような袋綴じ構造の第４用紙片において、接着領域より第３用紙片側に、第４用紙片を分断するための第１のミシン目が形成されていることが好ましい。この構造により、第１のミシン目に沿って切り取ることにより、袋綴じを容易に展開することができる。
【００１０】
さらに、この袋綴じ構造の第１用紙片において、接着領域より第２用紙片側に、第１用紙片を分断するための第２のミシン目が形成されているとよい。この第２のミシン目に沿って切り取ることにより、袋綴じを容易に展開することができる。なお、第１のミシン目と第２のミシン目の双方を形成する場合、双方のミシン目に沿って切り取ると、袋綴じを横長乃至縦長状の独立した印刷物とすることができる。
【００１１】
また、この袋綴じ構造は、第１用紙片と第４用紙片とが接着されている端部で、雑誌類に貼付され、又は綴じ込まれているとよい。この構造により、袋綴じを雑誌類の付録として利用することができる。
【考案の効果】
【００１２】
本考案の袋綴じ構造によれば、外々四つ折りされる袋綴じを簡易に作製することができる。
【考案を実施するための最良の形態】
【００１３】
以下、図面を参照して本考案による袋綴じ構造の好適な実施形態について詳細に説明する。
【００１４】
図１は、袋綴じを作製するための印刷物１０であって、折り込まれる内側の面を示す正面図である。印刷物１０は、長方形状に形成されており、第１用紙片１、第２用紙片２、第３用紙片３及び第４用紙片４が同一方向に連接されたものである。折り線６は、第１用紙片１と第２用紙片２との境界をなし、折り線７は、第２用紙片２と第３用紙片３との境界をなし、折り線８は、第３用紙片３と第４用紙片４との境界をなしている。
【００１５】
連接方向における第１用紙片の長さをａ、第２用紙片の長さをｂ、第３用紙片の長さをｃ、第４用紙片の長さをｄとすれば、次式が成立するように印刷物１０は形成されている。
ａ＝ｄ＞ｂ＝ｃ    （式１）
【００１６】
したがって、折り線６、７、８に沿って、外々四つ折り（Ｗ型状）すると、第１用紙片１は、第２用紙片２よりも連接方向に対して長く延在し、第４用紙片４も、第３用紙片３よりも連接方向に対して長く延在することになる。そして、外々四つ折り状態において、第２用紙片２及び第３用紙片３に対して余剰に延在している第１用紙片１と第４用紙片４の領域の端部は、接着領域１１，１２で直接接着されて綴じられる。
【００１７】
また、第３用紙片３に隣接する側の第２用紙片２の端部は、第１用紙片１と第２用紙片２との折り合わせによって、その仮接着領域１３が第１用紙片１の仮接着領域１４と仮接着される。さらに、第４用紙片４において、接着領域１２より第３用紙片３側に、第４用紙片４を分断するための第１のミシン目１６が形成され、第１用紙片１においても、接着領域１１より第２用紙片２側であり、接着領域１１と仮接着領域１４との間に、第１用紙片１を分断するための第２のミシン目１７が形成されている。
【００１８】
図２は、印刷物１０の背面図である。図２に示すように、印刷物１０の裏面には、第４用紙片４に第１のミシン目１６が形成され、第１用紙片１に第２のミシン目１７が形成されている。
【００１９】
図３は、印刷物１０を外々四つ折りした袋綴じ（袋綴じ構造）１８の正面図であり、図４は、袋綴じ１８のＩＶ−ＩＶ断面図である。図３及び図４に示すように、印刷物１０が折り線６、７、８に沿って外々四つ折りされているが、第１用紙片１は、第２用紙片２よりも連接方向に対して長く延在し、第４用紙片４も、第３用紙片３よりも連接方向に対して長く延在している。そして、第２用紙片２及び第３用紙片３に対して余剰に延在している第１用紙片１と第４用紙片４の接着領域１１，１２は、接着剤２１によって、直接接着されている。このように、第１用紙片１の接着領域１１と第４用紙片４の接着領域１２との接着によって、外々四つ折りされる袋綴じ１８を簡易に作製することができる。
【００２０】
また、第３用紙片３に隣接する側の第２用紙片２の端部は、第１用紙片１に対して、仮接着剤２２により仮接着されている。これにより、第２用紙片２及び第３用紙片３のそれぞれの紙面を、第１用紙片１及び第４用紙片４の紙面から離れることを防止して、密着させた状態を維持させ、袋綴じされた内側の紙面を容易に覗き込まれないようにすることができる。
【００２１】
なお、図５に示すように、印刷物１０の裏面において、第１用紙片１の端部、第４用紙片４の端部の一方又は双方に接着剤を塗布して接着領域２４，２５の一方又は双方を形成し、袋綴じ１８とした状態で、雑誌や書籍等の雑誌類における喉部側に貼付し、又は綴じ込んでもよい。これにより、袋綴じ１８を雑誌類の付録として利用することができる。
【００２２】
袋綴じ１８は、インラインで接着（糊付け）、ミシン入れ、平行折り加工、断裁等の加工機能を有する装置を設置したオフセット輪転機によって作製することができる。この場合、接着（糊付け）やミシン入れは、ラインパターン状に形成する。或いは、オフセット枚葉機で、印刷物１０を印刷した後、オフラインで断裁、折り加工、ミシン入れ等を行うことにより作製することもできる。
【００２３】
次に、この袋綴じ１８が綴じ込まれた雑誌類を購入した読者が、袋綴じ１８を展開する方法を説明する。
【００２４】
読者は、図３及び図４に示す状態から、第１のミシン目１６に沿って第４用紙片４を切り取り、第４用紙片４を展開する。続いて、仮接着剤２２による接着力に抗して仮接着部分（第２用紙片２の仮接着領域１３と第１用紙片１の仮接着領域１４）を手で剥がし、第１用紙片１〜第４用紙片４を引き伸ばす。さらに、読者は、第２のミシン目１７に沿って第４用紙片４を分断する。これにより、袋綴じ１８の図１に示す、横長乃至縦長状の領域２７（第１のミシン目１６から第２のミシン目１７までの間の領域）を雑誌類から完全に分離し、独立した長辺型の印刷物とすることができる。
【００２５】
袋綴じ１８の領域２７は、印刷物１０の大部分を占め、ほぼ四頁分の広い領域を有する。したがって、領域２７に、有名人の全身写真やパノラマ写真、カレンダー等を印刷し、ポスターとして利用することもできる。この場合、第２用紙片２と第３用紙片３にわたって写真や絵柄を印刷してもよく、或いは第１用紙片１から第４用紙片４にわたって、写真や絵柄を印刷してもよい。
【００２６】
袋綴じ１８は、Ａ４、Ｂ５サイズ等の縦長状の書籍、冊子等の雑誌類に綴じ込むことができ、第１のミシン目１６や第２のミシン目１７に沿って切り取り、袋綴じ１８を展開すれば、横長状の比較的大きいサイズの印刷物１０を展開することができる。そして、袋綴じ１８は外々四つ折りされて、仮接着部分（第２用紙片２の仮接着領域１３と第１用紙片１の仮接着領域１４）によって仮接着されているため、袋綴じ１８を雑誌類に付録として付属させる場合であっても、製本の際に、袋綴じ１８が展開等により、ばらけてしまうことを防止することができる。
【００２７】
また、読者としては、第１のミシン目１６に沿って第４用紙片４を切り取り、第４用紙片４を展開することで、第３用紙片３と第４用紙片４の内側に印刷された印刷内容を観賞し、さらに、仮接着部分（第２用紙片２の仮接着領域１３と第１用紙片１の仮接着領域１４）を剥がして第１用紙片１と第２用紙片２の内側に印刷した印刷内容を観賞することとなる。したがって、読者にとっては、袋綴じ１８を展開する都度、二回にわたって印刷内容への期待感と観賞を楽しむことができる。
【００２８】
なお、本考案は上記実施形態に限られない。
【００２９】
袋綴じ１８の領域２７を完全に雑誌類から分離しなくてよい場合は、第１のミシン目１６又は第２のミシン目１７のいずれかを形成しなくともよい。また、読者がペーパーナイフ等で切り取る場合には、第１のミシン目１６や第２のミシン目１７を形成する代わりに、同じ位置に切り取り線を印刷するとよい。
【００３０】
袋綴じ１８を雑誌等に綴じ込むのではなく、単体で取引する場合や、他の方法で商品に取り付ける場合は、必ずしも接着領域２４，２５を形成しなくともよい。例えば、調味料が入ったボトルに、レシピを印刷した袋綴じ１８を取り付ける場合などである。
【００３１】
また、袋綴じ１８の上辺と下辺から内部を覗かれないよう、印刷物１０の長手方向の縁部を仮接着してもよい。さらに、連接方向における第１用紙片１〜第４用紙片４の長さａ〜ｄは、式１に示す関係としたが、必ずしも、ａ＝ｄ、ｂ＝ｃの関係でなくともよく、第１用紙片１と第４用紙片４とが直接接着される領域が確保されていればよい。
【図面の簡単な説明】
【００３２】
【図１】本実施形態に係る袋綴じ構造を作製するのに用いる印刷物の正面図である。
【図２】印刷物の背面図である。
【図３】袋綴じとした状態の正面図である。
【図４】図３に示す袋綴じのＩＶ−ＩＶ断面図である。
【図５】雑誌類に付属させるために接着領域を示した印刷物の正面図である。
【符号の説明】
【００３３】
１…第１用紙片、２…第２用紙片、３…第３用紙片、４…第４用紙片、６，７，８…折り線、１０…印刷物、１１，１２…接着領域、１３，１４…仮接着領域、１６…第１のミシン目、１７…第２のミシン目、１８…袋綴じ（袋綴じ構造）、２１…接着剤、２２…仮接着剤、２４，２５…接着領域、２７…領域。
【図１】
0003131810.tif 000003
【図２】
0003131810.tif 000004
【図３】
0003131810.tif 000005
【図４】
0003131810.tif 000006
【図５】
0003131810.tif 000007
【手続補正書】
【提出日】平成19年3月9日(2007.3.9)
【手続補正１】
【補正対象書類名】明細書
【補正対象項目名】全文
【補正方法】変更
【補正の内容】
【考案の詳細な説明】
【技術分野】
【０００１】
本考案は、雑誌や書籍等に別刷りの折丁を綴じ込むための袋綴じ構造に関する。
【背景技術】
【０００２】
従来より、雑誌や書籍等にあっては、別刷りの折丁（複数の用紙片を折り畳んだ印刷物）を綴じ込むことがあり、この場合、綴じ込んだ折丁に対する店頭での立ち読みを防止するため、袋綴じが利用される。本出願人は、種々の袋綴じ構造を提案している。例えば、下記特許文献１においては、外々四つ折りタイプのものや巻折りタイプのもの等を提案している。
【０００３】
【特許文献１】実用新案登録第２５３８３５５号公報
【考案の開示】
【考案が解決しようとする課題】
【０００４】
ところが、特許文献１に示した外々四つ折りタイプの袋綴じ構造であると、用紙片の一枚のみを雑誌類に貼付するものであるため、袋綴じ構造をなすためには、仮接着しなければならない箇所が多く、作製工数が過剰となり、又、袋綴じ構造を展開すると仮接着領域として残る箇所も多くならざるを得なかった。
【０００５】
そこで、本考案は、外々四つ折りされる袋綴じを簡易に作製することができる袋綴じ構造を提供することを目的とする。
【課題を解決するための手段】
【０００６】
本考案における袋綴じ構造は、同一方向に連接された第１用紙片〜第４用紙片が、各用紙片の境界で外々四つ折りされた袋綴じ構造であって、連接方向における第１用紙片の長さ及び第４用紙片の長さは、同方向における第２用紙片の長さ及び第３用紙片の長さよりも長く、第１用紙片の端部と第４用紙片の端部は、直接接着されて綴じられていることを特徴とする。
【０００７】
この構造によれば、外々四つ折りされた状態で、第１用紙片は、第２用紙片よりも連接方向に対して長く延在し、第４用紙片も、第３用紙片よりも連接方向に対して長く延在しており、第１用紙片の端部と第４用紙片の端部とが、直接接着されて綴じられている。このように、第１用紙片の端部と第４用紙片の端部との接着によって、外々四つ折りされる袋綴じを簡易に作製することができる。
【０００８】
また、このような袋綴じ構造において、第３用紙片に隣接する側の第２用紙片の端部は、第１用紙片に仮接着されているとよい。この構造により、第２用紙片及び第３用紙片のそれぞれの紙面を、第１用紙片や第４用紙片の紙面から離れることを防止して、密着させた状態を維持させ、容易に、袋綴じされた内側の紙面を覗き込まれないようにすることができる。
【０００９】
また、このような袋綴じ構造の第４用紙片において、接着領域より第３用紙片側に、第４用紙片を分断するための第１のミシン目が形成されていることが好ましい。この構造により、第１のミシン目に沿って切り取ることにより、袋綴じを容易に展開することができる。
【００１０】
さらに、この袋綴じ構造の第１用紙片において、接着領域より第２用紙片側に、第１用紙片を分断するための第２のミシン目が形成されているとよい。この第２のミシン目に沿って切り取ることにより、袋綴じを容易に展開することができる。なお、第１のミシン目と第２のミシン目の双方を形成する場合、双方のミシン目に沿って切り取ると、袋綴じを横長乃至縦長状の独立した印刷物とすることができる。
【００１１】
また、この袋綴じ構造は、第１用紙片と第４用紙片とが接着されている端部で、雑誌類に貼付され、又は綴じ込まれているとよい。この構造により、袋綴じを雑誌類の付録として利用することができる。
【考案の効果】
【００１２】
本考案の袋綴じ構造によれば、外々四つ折りされる袋綴じを簡易に作製することができる。
【考案を実施するための最良の形態】
【００１３】
以下、図面を参照して本考案による袋綴じ構造の好適な実施形態について詳細に説明する。
【００１４】
図１は、袋綴じを作製するための印刷物１０であって、折り込まれる内側の面を示す正面図である。印刷物１０は、長方形状に形成されており、第１用紙片１、第２用紙片２、第３用紙片３及び第４用紙片４が同一方向に連接されたものである。折り線６は、第１用紙片１と第２用紙片２との境界をなし、折り線７は、第２用紙片２と第３用紙片３との境界をなし、折り線８は、第３用紙片３と第４用紙片４との境界をなしている。
【００１５】
連接方向における第１用紙片の長さをａ、第２用紙片の長さをｂ、第３用紙片の長さをｃ、第４用紙片の長さをｄとすれば、次式が成立するように印刷物１０は形成されている。
ａ＝ｄ＞ｂ＝ｃ    （式１）
【００１６】
したがって、折り線６、７、８に沿って、外々四つ折り（Ｗ型状）すると、第１用紙片１は、第２用紙片２よりも連接方向に対して長く延在し、第４用紙片４も、第３用紙片３よりも連接方向に対して長く延在することになる。そして、外々四つ折り状態において、第２用紙片２及び第３用紙片３に対して余剰に延在している第１用紙片１と第４用紙片４の領域の端部は、接着領域１１，１２で直接接着されて綴じられる。
【００１７】
また、第３用紙片３に隣接する側の第２用紙片２の端部は、第１用紙片１と第２用紙片２との折り合わせによって、その仮接着領域１３が第１用紙片１の仮接着領域１４と仮接着される。さらに、第４用紙片４において、接着領域１２より第３用紙片３側に、第４用紙片４を分断するための第１のミシン目１６が形成され、第１用紙片１においても、接着領域１１より第２用紙片２側であり、接着領域１１と仮接着領域１４との間に、第１用紙片１を分断するための第２のミシン目１７が形成されている。
【００１８】
図２は、印刷物１０の背面図である。図２に示すように、印刷物１０の裏面には、第４用紙片４に第１のミシン目１６が形成され、第１用紙片１に第２のミシン目１７が形成されている。
【００１９】
図３は、印刷物１０を外々四つ折りした袋綴じ（袋綴じ構造）１８の正面図であり、図４は、袋綴じ１８のＩＶ−ＩＶ断面図である。図３及び図４に示すように、印刷物１０が折り線６、７、８に沿って外々四つ折りされているが、第１用紙片１は、第２用紙片２よりも連接方向に対して長く延在し、第４用紙片４も、第３用紙片３よりも連接方向に対して長く延在している。そして、第２用紙片２及び第３用紙片３に対して余剰に延在している第１用紙片１と第４用紙片４の接着領域１１，１２は、接着剤２１によって、直接接着されている。このように、第１用紙片１の接着領域１１と第４用紙片４の接着領域１２との接着によって、外々四つ折りされる袋綴じ１８を簡易に作製することができる。
【００２０】
また、第３用紙片３に隣接する側の第２用紙片２の端部は、第１用紙片１に対して、仮接着剤２２により仮接着されている。これにより、第２用紙片２及び第３用紙片３のそれぞれの紙面を、第１用紙片１及び第４用紙片４の紙面から離れることを防止して、密着させた状態を維持させ、袋綴じされた内側の紙面を容易に覗き込まれないようにすることができる。
【００２１】
なお、図５に示すように、印刷物１０の裏面において、第１用紙片１の端部、第４用紙片４の端部の一方又は双方に接着剤を塗布して接着領域２４，２５の一方又は双方を形成し、袋綴じ１８とした状態で、雑誌や書籍等の雑誌類における喉部側に貼付し、又は綴じ込んでもよい。これにより、袋綴じ１８を雑誌類の付録として利用することができる。
【００２２】
袋綴じ１８は、インラインで接着（糊付け）、ミシン入れ、平行折り加工、断裁等の加工機能を有する装置を設置したオフセット輪転機によって作製することができる。この場合、接着（糊付け）やミシン入れは、ラインパターン状に形成する。或いは、オフセット枚葉機で、印刷物１０を印刷した後、オフラインで断裁、折り加工、ミシン入れ等を行うことにより作製することもできる。
【００２３】
次に、この袋綴じ１８が綴じ込まれた雑誌類を購入した読者が、袋綴じ１８を展開する方法を説明する。
【００２４】
読者は、図３及び図４に示す状態から、第１のミシン目１６に沿って第４用紙片４を切り取り、第４用紙片４を展開する。続いて、仮接着剤２２による接着力に抗して仮接着部分（第２用紙片２の仮接着領域１３と第１用紙片１の仮接着領域１４）を手で剥がし、第１用紙片１〜第４用紙片４を引き伸ばす。さらに、読者は、第２のミシン目１７に沿って第４用紙片４を分断する。これにより、袋綴じ１８の図１に示す、横長乃至縦長状の領域２７（第１のミシン目１６から第２のミシン目１７までの間の領域）を雑誌類から完全に分離し、独立した長辺型の印刷物とすることができる。
【００２５】
袋綴じ１８の領域２７は、印刷物１０の大部分を占め、ほぼ四頁分の広い領域を有する。したがって、領域２７に、有名人の全身写真やパノラマ写真、カレンダー等を印刷し、ポスターとして利用することもできる。この場合、第２用紙片２と第３用紙片３にわたって写真や絵柄を印刷してもよく、或いは第１用紙片１から第４用紙片４にわたって、写真や絵柄を印刷してもよい。
【００２６】
袋綴じ１８は、Ａ４、Ｂ５サイズ等の縦長状の書籍、冊子等の雑誌類に綴じ込むことができ、第１のミシン目１６や第２のミシン目１７に沿って切り取り、袋綴じ１８を展開すれば、横長状の比較的大きいサイズの印刷物１０を展開することができる。そして、袋綴じ１８は外々四つ折りされて、仮接着部分（第２用紙片２の仮接着領域１３と第１用紙片１の仮接着領域１４）によって仮接着されているため、袋綴じ１８を雑誌類に付録として付属させる場合であっても、製本の際に、袋綴じ１８が展開等により、ばらけてしまうことを防止することができる。
【００２７】
また、読者としては、第１のミシン目１６に沿って第４用紙片４を切り取り、第４用紙片４を展開することで、第３用紙片３と第４用紙片４の内側に印刷された印刷内容を観賞し、さらに、仮接着部分（第２用紙片２の仮接着領域１３と第１用紙片１の仮接着領域１４）を剥がして第１用紙片１と第２用紙片２の内側に印刷した印刷内容を観賞することとなる。したがって、読者にとっては、袋綴じ１８を展開する都度、二回にわたって印刷内容への期待感と観賞を楽しむことができる。
【００２８】
なお、本考案は上記実施形態に限られない。
【００２９】
袋綴じ１８の領域２７を完全に雑誌類から分離しなくてよい場合は、第１のミシン目１６又は第２のミシン目１７のいずれかを形成しなくともよい。また、読者がペーパーナイフ等で切り取る場合には、第１のミシン目１６や第２のミシン目１７を形成する代わりに、同じ位置に切り取り線を印刷するとよい。
【００３０】
袋綴じ１８を雑誌等に綴じ込むのではなく、単体で取引する場合や、他の方法で商品に取り付ける場合は、必ずしも接着領域２４，２５を形成しなくともよい。例えば、調味料が入ったボトルに、レシピを印刷した袋綴じ１８を取り付ける場合などである。
【００３１】
また、袋綴じ１８の上辺と下辺から内部を覗かれないよう、印刷物１０の長手方向の縁部を仮接着してもよい。さらに、連接方向における第１用紙片１〜第４用紙片４の長さａ〜ｄは、式１に示す関係としたが、必ずしも、ａ＝ｄ、ｂ＝ｃの関係でなくともよく、第１用紙片１と第４用紙片４とが直接接着される領域が確保されていればよい。
【図面の簡単な説明】
【００３２】
【図１】本実施形態に係る袋綴じ構造を作製するのに用いる印刷物の正面図である。
【図２】印刷物の背面図である。
【図３】袋綴じとした状態の正面図である。
【図４】図３に示す袋綴じのＩＶ−ＩＶ断面図である。
【図５】雑誌類に付属させるために接着領域を示した印刷物の正面図である。
【符号の説明】
【００３３】
１…第１用紙片、２…第２用紙片、３…第３用紙片、４…第４用紙片、６，７，８…折り線、１０…印刷物、１１，１２…接着領域、１３，１４…仮接着領域、１６…第１のミシン目、１７…第２のミシン目、１８…袋綴じ（袋綴じ構造）、２１…接着剤、２２…仮接着剤、２４，２５…接着領域、２７…領域。